(57)【要約】【課題】操作部の操作性を確保しつつ操作子周りのパネル部の剛性を向上させると共に、カバー体の選択によって、筐体を共用化しつつ楽器の外観を変更可能にして、異機種の製造を容易にする。【解決手段】操作子体１５は、操作部１５ａを各々有し、電子鍵盤楽器１の筐体１０の第１パネル面１１ａから操作部１５ａが上方に突出している。カバー体２０には、各操作子体１５の操作部１５ａに対応して、操作部１５ａが貫通する貫通穴２５が形成される。カバー体２０を筐体１０に装着すると、第１パネル面１１ａがカバー体２０に覆われると共に、操作部１５ａが貫通穴２５を貫通して突出する。カバー体２０は、筐体１０に着脱自在で基本構成を同じくする複数種類（２０Ａ、２０Ｂ、２０Ｃ）が用意されていて、これらのうち１つが選択され、出荷時または出荷後に装着される。【選択図】図１
2010060984.tif 000002
【特許請求の範囲】
【請求項１】
樹脂で構成され、上側の面であるパネル面を有する筐体と、
操作部を各々有し、少なくとも前記操作部が、前記筐体の前記パネル面から突出するように前記パネル面に配設された複数の操作子体と、
前記複数の各操作子体の操作部に対応する貫通穴が形成され、鍵並び方向に長尺で、前記パネル面に対して着脱自在に構成されたカバー体とを有し、
前記カバー体は、前記パネル面に装着されることで、前記パネル面の上に重なって前記パネル面の少なくとも一部を覆うと共に、当該カバー体の貫通穴から、対応する操作子体の操作部が突出するように構成され、
前記カバー体は、複数種類存在し、該複数種類のうちから選択された１つが前記パネル面に装着されることを特徴とする電子鍵盤楽器の二重パネル構造。
【請求項２】
前記カバー体の前部、後部には、それぞれ、鉛直方向の成分を有する前側縦壁部、後側縦壁部が一体に形成されていることを特徴とする請求項１記載の電子鍵盤楽器の二重パネル構造。
【請求項３】
前記操作子体が少なくとも１つ配設され、外郭形状が共通し、前記パネル面の上に配設されるベース体を複数備え、前記パネル面の上における前記各ベース体の配設位置を変えることで、前記操作子体の配設位置を変更可能なように構成されたことを特徴とする請求項１または２記載の電子鍵盤楽器の二重パネル構造。
【発明の詳細な説明】
【技術分野】
【０００１】
本発明は、電子楽器本体の筐体のパネル面にカバー体が配設される電子鍵盤楽器の二重パネル構造に関する。
【背景技術】
【０００２】
従来、電子鍵盤楽器の筐体の表面をパネル面とすると共に、該パネル面にカバー体を配設した構造が知られている（下記特許文献１）。
【０００３】
この構造では、鍵並び方向の中央付近において、筐体のパネル面に凹部を設け、そこにＬＣＤを設けると共に、上側からカバー体を被せて凹部が埋まるように構成される。
【特許文献１】特開２００５−１９１２７２号公報
【発明の開示】
【発明が解決しようとする課題】
【０００４】
しかしながら、上記特許文献１の構造においては、パネル面上の操作子の操作性を確保するために、カバー体を、操作子のある箇所には配設できない。また、筐体の、カバー体が配設される部分は凹部となっているため、筐体の剛性が低くなる。筐体が樹脂で構成される場合は、特に剛性確保を考慮する必要がある。また、カバー体は、一旦装着すると、それが確定した外観の一部となり、外観を変更することはできない。
【０００５】
本発明は上記従来技術の問題を解決するためになされたものであり、その目的は、操作部の操作性を確保しつつ操作子周りのパネル部の剛性を向上させると共に、カバー体の選択によって、筐体を共用化しつつ楽器の外観を変更可能にして、異機種の製造を容易にすることができる電子鍵盤楽器の二重パネル構造を提供することにある。
【課題を解決するための手段】
【０００６】
上記目的を達成するために本発明の請求項１の電子鍵盤楽器の二重パネル構造は、樹脂で構成され、上側の面であるパネル面（１１）を有する筐体（１０）と、操作部（１５ａ）を各々有し、少なくとも前記操作部が、前記筐体の前記パネル面から突出するように前記パネル面に配設された複数の操作子体（１５）と、前記複数の各操作子体の操作部に対応する貫通穴（２５）が形成され、鍵並び方向に長尺で、前記パネル面に対して着脱自在に構成されたカバー体（２０）とを有し、前記カバー体は、前記パネル面に装着されることで、前記パネル面の上に重なって前記パネル面の少なくとも一部（１１ａ）を覆うと共に、当該カバー体の貫通穴から、対応する操作子体の操作部が突出するように構成され、前記カバー体は、複数種類（２０Ａ〜２０Ｃ）存在し、該複数種類のうちから選択された１つが前記パネル面に装着されることを特徴とする。
【０００７】
好ましくは、前記カバー体の前部、後部には、それぞれ、鉛直方向の成分を有する前側縦壁部（２８）、後側縦壁部（２９）が一体に形成されている（請求項２）。
【０００８】
好ましくは、前記操作子体が少なくとも１つ配設され、外郭形状が共通し、前記パネル面の上に配設されるベース体（３１）を複数備え、前記パネル面の上における前記各ベース体の配設位置を変えることで、前記操作子体の配設位置を変更可能なように構成される（請求項３）。
【０００９】
なお、上記括弧内の符号は例示である。
【発明の効果】
【００１０】
本発明の請求項１によれば、操作部の操作性を確保しつつ操作子周りのパネル部の剛性を向上させると共に、カバー体の選択によって、筐体を共用化しつつ楽器の外観を変更可能にして、異機種の製造を容易にすることができる。
【００１１】
請求項２によれば、カバー体の長手方向における剛性を高めてパネル部の剛性を向上させることができる。
【００１２】
請求項３によれば、筐体を共用化しつつ操作子体の配置を変更可能にして、異機種の製造を容易にすることができる。
【発明を実施するための最良の形態】
【００１３】
以下、本発明の実施の形態を図面を参照して説明する。
【００１４】
（第１の実施の形態）
図１（ａ）は、本発明の第１の実施の形態に係る二重パネル構造が適用される電子鍵盤楽器の平面図である。本電子鍵盤楽器１は、楽器本体の外装を構成する筐体１０と、楽器本体の前半部に配設される複数の白鍵及び黒鍵からなる鍵盤部ＫＢとを有する。筐体１０には、カバー体２０が被せられている。
【００１５】
以降、鍵盤楽器１における鍵盤部ＫＢが配設された側、すなわち、奏者側を前側とし、左右方向については、奏者からみた方向を基準とする。上下方向についても、使用時における鍵盤楽器１の通常の載置状態における方向を基準とする。
【００１６】
図１（ｂ）は、カバー体２０の平面図、図１（ｃ）は、カバー体２０を取り外した状態の鍵盤楽器１の平面図である。図２（ａ）、（ｂ）は、図１（ａ）のＡ−Ａ線に沿う模式的な断面図である。図２（ａ）は、筐体１０へのカバー体２０の装着途中、図２（ｂ）は、カバー体２０が筐体１０に装着された状態をそれぞれ示している。
【００１７】
筐体１０は、樹脂による射出成形で一体に形成され、底板部１８（図２（ａ）、（ｂ）参照）の上側に固定される。筐体１０は、鍵盤部ＫＢが配設される開口部を除いて、底板部１８を上側及び前後左右の側から覆っている。楽器本体の後半部において、筐体１０と底板部１８とで形成される内部空間に、不図示の電子部品が収容される。
【００１８】
図１（ｃ）に示すように、筐体１０の上面であるパネル面１１は、カバー体２０の装着によって隠れる第１パネル面１１ａと、カバー体２０の有無によらず露出する第２パネル面１１ｂとでなる。筐体１０の左側面１０ａ、右側面１０ｂ及び背面１０ｃは、パネル面１１に連接している。
【００１９】
図１（ｃ）、図２（ａ）に示すように、パネル面１１の第１パネル面１１ａには、左右端部にスピーカ１３が設けられる。第１パネル面１１ａのうち第２パネル面１１ｂとの境目付近であって、左右方向中央と左右端部の計３カ所に、カバー体２０を装着するための取り付け穴１２が形成されている。また、第１パネル面１１ａのうち鍵盤部ＫＢとの境目付近であって、左右方向中央と左右端部の計３カ所には、カバー体２０を装着するための取り付け穴１６が形成されている（図２（ａ）参照）。
【００２０】
また、第１パネル面１１ａの左右方向中央部に、ＬＣＤ等の表示部１４、複数の操作子体１５が配設される。操作子体１５は、例示として、一部を図示したが、配設箇所や配設数は、例示のものに限られない。また、操作子体１５は、少なくとも、第１パネル面１１ａに配設されるものが存在すればよく、これに加えて第２パネル面１１ｂに配設されるものがあってもよい。
【００２１】
操作子体１５は、図２（ａ）、（ｂ）に示すように、上方に突出した操作部１５ａを各々有し、第１パネル面１１ａから操作部１５ａが上方に突出している。操作子体１５は、操作部１５ａが回転操作されるものを想定するが、これに限らず、操作法、機能、サイズ、形状は問わないし、複数種類が混在していてもよい。
【００２２】
図１（ａ）、（ｂ）、図２（ａ）に示すように、カバー体２０は、鍵並び方向に長尺で、左右方向の長さは鍵盤部ＫＢの幅と同じである。カバー体２０の後部には、第１パネル面１１ａにおける取り付け穴１２に対応する３箇所に取り付け片２２が一体に延設されている。取り付け片２２を除く平面視におけるカバー体２０外郭形状は、第１パネル面１１ａとほぼ一致している。
【００２３】
カバー体２０には、第１パネル面１１ａにおける２つのスピーカ１３に対応する位置に、放音穴２３が形成されている。また、カバー体２０には、各操作子体１５の操作部１５ａに対応して、操作部１５ａが貫通する貫通穴２５が形成されている。カバー体２０は、光透過性樹脂による射出成形で一体に形成され、全体に一様の厚みであるが、表示部１４に対応する部分だけは、薄く形成された薄肉窓部２４になっている。カバー体２０を構成する樹脂は、黒色等で半透明であり、薄肉窓部２４を通じて表示部１４の光は視認されるが、第１パネル面１１ａのその他の部分はほとんど見えないようにする程度の光透過乃至遮光の機能を有する。
【００２４】
図２（ａ）に示すように、カバー体２０の縦断面（側面視）形状は、第１パネル面１１ａに沿ったなだらかな平坦部を有し、前部において、前側縦壁部２８が下方に真っ直ぐ延設され、前側縦壁部２８の下端から、水平な取り付け片２６が後方に延設形成される。取り付け片２６は、取り付け穴１６に対応して、３カ所に一体に形成される。一方、カバー体２０の後部においては、後側縦壁部２９が下方に真っ直ぐ延設され、後側縦壁部２９の下端から、上記した取り付け片２２が延設形成されている。なお、取り付け穴１６と取り付け片２６との関係、並びに、取り付け穴１２と取り付け片２２との関係については、いずれも互いに位置が対応していればよく、数もそれぞれ３カ所に限られない。
【００２５】
前側縦壁部２８及び後側縦壁部２９が、鉛直方向に延設されていることで、カバー体２０の鍵並び方向における曲げ剛性が高くなっている。なお、剛性を高める観点からは、前側縦壁部２８及び後側縦壁部２９が鉛直方向の成分を有すればよく、必ずしも鉛直方向に平行である必要はない。
【００２６】
カバー体２０は、鍵盤楽器１の製品製造時、または、ユーザ宅において、筐体１０に装着される。まず、取り付け片２２を対応する取り付け穴１２に挿通し、それと並行して、取り付け片２６を対応する取り付け穴１６に挿通して係止する。そして、カバー体２０を第１パネル面１１ａの上に重ねた状態とする。これにより、各操作子体１５の操作部１５ａが、対応する貫通穴２５を貫通して、カバー体２０の上面２１よりも上方に突出する。カバー体２０の下面２７は、第１パネル面１１ａに近接乃至当接する。
【００２７】
そして、図２（ｂ）に示すように、ネジ１７で、取り付け片２２を筐体１０の取り付け部１０ｄに対して螺着することで、カバー体２０が筐体１０に対して固定される。ここで、ネジ１７を通すと共に螺合作業を行うための穴が、底板部１８に形成されているものとし、作業者は、下方から螺着作業を行えるようになっている。なお、カバー体２０が装着された状態で、カバー体２０の上面２１と第２パネル面１１ｂとが面一に繋がるように構成してもよい。
【００２８】
ところで、図２（ａ）に示すように、カバー体２０は複数種類、例えば、カバー体２０Ａ、２０Ｂ、２０Ｃが用意されている。これらのカバー体２０は、基本構成が同じで、いずれも筐体１０に対して同じ態様で着脱可能である。筐体１０に着脱自在であれば、カバー体２０の相違内容は問わず、例えば、カバー体２０の色やデザインを異ならせてもよい。これらのカバー体２０のうち１つを、ユーザの注文に応じて選択し、出荷時に装着する実施態様が考えられる。この他、複数のカバー体２０を楽器本体とセットでユーザが購入し、好みのカバー体２０をユーザが装着するという実施態様も考えられる。これらにより、同じ筐体１０を用いて鍵盤楽器１の外観が変更可能になる。
【００２９】
本実施の形態によれば、筐体１０のうち、操作子体１５が配設されている第１パネル面１１ａをカバー体２０が覆うので、二重パネル構造となり、しかも、カバー体２０の前部、後部にはそれぞれ、前側縦壁部２８及び後側縦壁部２９が一体に形成されているので、カバー体２０の長手方向における剛性が高まる。その結果、筐体１０の第１パネル面１１ａの剛性を向上させることができる。さらに、操作部１５ａが貫通穴２５を貫通して突出するので操作に支障はない。よって、操作部１５ａの操作性を確保しつつ操作子体１５周りの筐体１０の第１パネル面１１ａの剛性を向上させることができる。
【００３０】
また、装着するカバー体２０の選択によって、筐体１０を共用化しつつ楽器の外観を変更可能であるので、デザインの異なる異機種の楽器の製造を容易にすることができる。
【００３１】
（第２の実施の形態）
図３は、本発明の第２の実施の形態に係る二重パネル構造が適用される電子鍵盤楽器の部分平面図である。図４（ａ）、（ｂ）は、図２（ａ）、（ｂ）に対応し、図３のＢ−Ｂ線に沿う模式的な部分断面図である。本実施の形態においても、電子鍵盤楽器１は、筐体１０とカバー体２０とを有し、図３は、カバー体２０を外した状態における鍵盤楽器１の左右方向中央部の平面図を示す。
【００３２】
本実施の形態では、操作子体１５、表示部１４が、それぞれベース体３１、３２の上に配設され、それらベース体３１、３２が筐体１０の第１パネル面１１ａに配設されている点が第１の実施の形態とは異なる。筐体１０については、第１パネル面１１ａが、第２パネル面１１ｂに対して段差を形成して下がって形成され、第２パネル面１１ｂからみると凹部となっている点が第１の実施の形態と相違する。一方、カバー体２０については、第１の実施の形態おけるものに対して、操作子体１５の配設位置や数に応じて、それらに対応する貫通穴２５の位置や数が相違するのと、パネル面１１の形状の相違に応じた相違があるが、その他は同様である。
【００３３】
図３、図４（ａ）、（ｂ）に示すように、操作子体１５は、各１つ以上がベース体３１上に配設され、そのようなベース体３１が複数設けられる。表示部１４は、ベース体３２上に配設される。ベース体３１、３２への操作子体１５の配設位置や数は問わず、各種の組み合わせが可能である。ベース体３１、３２は、第１パネル面１１ａの上に配設される。配線については図示しないが、第１パネル面１１ａを貫通して楽器本体の電子部品等と電気接続されるものとする。
【００３４】
図３、図４（ａ）に示すように、第１パネル面１１ａのうち第２パネル面１１ｂとの境目付近であって、左右方向中央と左右端部の計３カ所に、カバー体２０を装着するための取り付け穴３３が形成されている。これら３つの取り付け穴３３は、取り付け穴１２に相当するものであり、中央のものしか図示していないが、いずれも同様に構成される。
【００３５】
各ベース体３１の外郭形状及び取り付けに係る部分の構成は共通であり、互いの位置を入れ替えて配設することが可能で、入れ替えのパターンが、楽器の機種に応じた数だけ設けられている。上記各パターンに応じて、対応する位置に貫通穴２５が設けられたカバー体２０が複数種類設けられている（図示せず）。従って、少なくとも、採択したベース体３１の配置パターンに合致した形状のカバー体２０を選択し、それを筐体１０に装着することになる。ただし、設けられている貫通穴２５を同じくするカバー体２０同士で、色やデザインが異なるカバー体２０を複数種類設けてもよいことは、第１の実施の形態と同様である。
【００３６】
カバー体２０の筐体１０への着脱については、第１の実施の形態と同様である。すなわち、取り付け片２２が係合する取り付け穴が、取り付け穴１２に代えて取り付け穴３３となる以外は、第１の実施の形態と同様である。また、カバー体２０が装着された状態で、カバー体２０の上面２１と第２パネル面１１ｂとが面一に繋がるように構成してもよい。
【００３７】
また、表示部１４が配設されたベース体３２については、配設可能な位置が、楽器の機種に応じた数だけ採択可能に構成されている。例えば、鍵並び方向の位置において、数種類の位置を選択できる。それに応じて、各種類のカバー体２０の薄肉窓部２４が、対応する位置に設けられている。従って、表示部１４の視認性が確保される。なお、薄肉窓部２４の設計を共通にするためには、ベース体３２の配置位置の違いによって変動し得る表示部１４の位置をすべてカバーできるような広い領域に薄肉窓部２４を設ければよい。薄肉窓部２４の設計を共通にすれば、表示部１４の位置のみ異なる機種についてはカバー体２０を共通化することができる。
【００３８】
本実施の形態によれば、ベース体３１の配置位置を可変とし、配置位置に応じてカバー体２０の種類を設けたので、筐体１０を共用化しつつ操作子体１５の配置を変更可能にして、操作子体１５の配置が異なる異機種の楽器の製造を容易にすることができる。
【００３９】
なお、第１、第２の実施の形態において、操作部１５ａの操作性を確保しつつ操作子体１５周りの剛性を向上させる観点からは、操作子体１５は、少なくともその操作部１５ａが、筐体１０のパネル面１１から突出するように配設されていればよい。
【００４０】
なお、表示部１４についても、操作子体１５の操作部１５ａと同様に、カバー体２０において、薄肉窓部２４に代えて、表示部１４に対応する貫通した窓部を設け、該窓部から表示部１４が直接露出するようにしてもよい。そのようにすれば、カバー体２０を、金属等の遮光性素材で構成することも可能である。
【図面の簡単な説明】
【００４１】
【図１】本発明の第１の実施の形態に係る二重パネル構造が適用される電子鍵盤楽器の平面図（図（ｂ））、カバー体の平面図（図（ｂ））、カバー体を取り外した状態の鍵盤楽器１の平面図（図（ｃ））である。
【図２】図１（ａ）のＡ−Ａ線に沿う、筐体へのカバー体の装着途中（図（ａ））、カバー体が筐体に装着された状態（図（ｂ））の、模式的な断面図である。
【図３】本発明の第２の実施の形態に係る二重パネル構造が適用される電子鍵盤楽器の部分平面図である。
【図４】図３のＢ−Ｂ線に沿う、筐体へのカバー体の装着途中（図（ａ））、カバー体が筐体に装着された状態（図（ｂ））の、模式的な断面図である。
【符号の説明】
【００４２】
１  電子鍵盤楽器、  １０  筐体、  １１  パネル面、  １１ａ  第１パネル面、  １５  操作子体、  １５ａ  操作部、  ２０  カバー体、  ２５  貫通穴、  ２８  前側縦壁部、  ２９  後側縦壁部、  ３１  ベース体
【図１】
2010060984.tif 000003
【図２】
2010060984.tif 000004
【図３】
2010060984.tif 000005
【図４】
2010060984.tif 000006